(57)【特許請求の範囲】
【請求項１】
最初に閉じられる第１の扉と、この第１の扉に召し合わされて閉じられる第２の扉とで構成される観音扉の第１の扉を閉位置に係止する係止装置であって、第１の扉の内側に固着されるケーシングと、このケーシングに上下動自在に挿通された係止杆と、この係止杆の先端をケーシング内に退没させる方向に付勢するバネ手段と、前記第２の扉の閉止時に該扉が当接する接触片を有しケーシングに回転自在に支持された作動杆と、を備えた観音扉用係止装置において、
前記係止杵を前記ケーシングに２点支持するとともに前記係止杵に対して前記作動杵が前記ケーシング内で交差するように配置し、
前記作動杵には、前記係止杆との交差部近傍に係止杆を押し上げるための突部を設け、
前記係止杆には前記作動杆の突部に前記バネ手段の付勢を受けて係合するピンを突設し、
前記係止杆がバネ付勢によりケーシング内に退没したとき前記ピンが前記突部を押圧して前記接触片がケーシング取付面より突出した位置におかれ、上記接触片が第２の扉の閉止により押圧されたとき前記突部が前記ピンを押動して係止杆の先端がバネ付勢に抗してケーシング外に突出し、建屋側の係止孔に嵌入するようにしたことを特徴とする観音扉用係止装置。
【請求項２】
前記係止杆の先端が出没するケーシングの端壁に、前後面が曲面とされバネ付勢により突出習性が与えられた駒を有する仮止め手段を付設し、前記第１の扉を閉じたとき前記係止杆による係止に先立って前記駒が建屋側の係止孔に係合して仮止めされるようになされている請求項１記載の観音扉用係止装置。
【発明の詳細な説明】
【０００１】
【発明の属する技術分野】
本発明は観音扉の係止装置に関する。
【０００２】
【従来の技術】
従来から観音開きの扉は、最初に閉める第１の扉と、この第１の扉に召し合わされて閉じられる第２の扉とで構成され、開扉した際に広い開放面が得られるもので、野外に設置される通信機器収容箱のように大型の機器類を収納する収納庫などにおいて広く用いられている。
【０００３】
上記のような観音扉においては、第１の扉を閉じたときその第１の扉を閉位置に係止して第２の扉を閉じた際にこれを受け止め、次いで第２の扉に付設された錠をキーロックして閉止するようになされている。
【０００４】
上記第１の扉を係止する係止装置としては、従来図６に示すような手動で係止するもの、あるいは図７に示すように扉を閉めたとき建屋側の扉枠の係止孔に自動的に嵌合して係止するものが用いられている。
【０００５】
前記図６に示すものは、扉に固着される軸受１に係止杆２が上下動自在に挿通され、この軸受１に前記係止杆２の側部に突設された手掛け３がスライドできる切孔４が上下方向に形成されており、この切孔４の途中に横方向へ曲がった曲り孔５が形成されていて、前記手掛け３を上部の曲り孔５に嵌入させることにより係止杆２は上昇位置に保持され、扉を閉めて係止するとき手掛け３を曲り孔５から外して係止杆２を下降させることにより係止杆２の下端が建屋側の扉枠に形成された係止孔に嵌入して係止されるものである。この係止装置は扉の下端のみでなく上端にも設ける場合がある。
【０００６】
前記図７に示すものは、バネ６により突出習性が与えられた駒７を有し、この駒７の先端の前後面７ａ，７ｂが曲面に形成されていて、扉を閉じたとき駒７が建屋側の扉枠に当ってバネ６に抗し孔８内を摺動して押し込まれ、係止孔の位置に至ったときバネ６の放勢により駒７が突出して係止孔に嵌合することにより仮止め状態になるものである。
【０００７】
【発明が解決しようとする課題】
しかして図６に示した手動式の係止装置では、扉の開け閉めの都度係止杆２の掛け外しの操作を行わなければならないのできわめて煩わしいばかりでなく、誤って係止杆２を突出させたままで扉を閉じたりすると、係止杆２の突出端が建屋側の扉枠に衝突して破損させるなどの問題点があった。
【０００８】
一方、図７に示す自動式の係止装置は、駒７が係止孔にバネ力により係合しているだけであるから、外部から扉に当る風圧や、人為的に強い力が加わったような場合、駒７が係止孔から外れて係止状態が解かれてしまったり、駒７が破損してしまうことがあり、十分な係止力が得られないという問題点があるうえ、駒７が摺動する孔８に塵埃類が詰ったりすると駒７の動きが妨げられ、確実な係止が果せなくなるという問題点があった。
【０００９】
本発明は上記従来の技術が有する問題点に着目し、第１の扉を閉めたあと第２の扉を閉めることにより第１の扉が自動的に係止され、また第２の扉を開けることにより第１の扉の係止が自動的に解除されるようにし、第１の扉の手動による係止操作を一切不要とするとともに不用意な操作による破損を皆無とし、重い扉であっても十分な係止機能を発揮することができる観音扉用係止装置を提供することを課題としてなされたものである。
【００１０】
【課題を解決するための手段】
上記課題を解決する手段として本発明は、最初に閉じられる第１の扉と、この第１の扉に召し合わされて閉じられる第２の扉とで構成される観音扉の第１の扉を閉位置に係止する係止装置であって、第１の扉の内側に固着されるケーシングと、このケーシングに上下動自在に挿通された係止杆と、この係止杆の先端をケーシング内に退没させる方向に付勢するバネ手段と、前記第２の扉の閉止時に該扉が当接する接触片を有しケーシングに回転自在に支持された作動杆と、を備えた観音扉用係止装置において、前記係止杵を前記ケーシングに２点支持するとともに前記係止杵に対して前記作動杵が前記ケーシング内で交差するように配置し、前記作動杵には、前記係止杆との交差部近傍に係止杆を押し上げるための突部を設け、前記係止杆には前記作動杆の突部に前記バネ手段の付勢を受けて係合するピンを突設し、前記係止杆がバネ付勢によりケーシング内に退没したとき前記ピンが前記突部を押圧して前記接触片がケーシング取付面より突出した位置におかれ、上記接触片が第２の扉の閉止により押圧されたとき前記突部が前記ピンを押動して係止杆の先端がバネ付勢に抗してケーシング外に突出し、建屋側の係止孔に嵌入するようにしたことを特徴とする。
【００１１】
こうしたことにより、第１の扉を閉め、次いで第２の扉を閉めれば、その第２の扉で接触片が押されることにより初めて係止杆の先端がケーシングから突出して建屋側の係止孔に嵌入し、第２の扉共々不動状態に係止される。
【００１２】
また第２の扉を開ければ、係止杆はバネ手段の付勢によりケーシング内に退没し、第１の扉の係止が解かれて第２の扉共々第１の扉も開けることができる。
【００１３】
したがって観音扉の開閉の都度第１の扉の係止および解除操作は一切不要となり、観音扉の開閉操作を容易とすることができるとともに、第１の扉を開け閉めする際には係止杆は建屋側の扉枠に当らない位置に必ず退没しているので無雑作に開け閉めしても係止杆や建屋側を破損させてしまうことがない。また第２の扉を閉めたのちは係止杆が係止孔に嵌入して係止されるので、強風による風圧や人為的な外力が加わっても開いてしまうことが全くないとともに係止杆部分が破損することがない。
【００１４】
前記係止杆の先端が出没するケーシングの端壁に、前後面が曲面とされバネ付勢により突出習性が与えられた駒を有する仮止め手段を付設し、前記第１の扉を閉じたとき前記係止杆による係止に先立って前記駒が建屋側の係止孔に係合して仮止めされるようにすれば、第１の扉を閉じた際に第１の扉は仮止め手段の駒により仮止めされるので、第２の扉を閉めるまでの間に位置がずれてしまうことがなく、第２の扉を閉めやすくかつ前記係止装置による確実な係止をなさしめることができる。
【００１５】
【発明の実施の形態】
以下、本発明を図面に示す実施の形態を参照して説明する。
【００１６】
図１は本発明による観音扉用係止装置の一実施形態の内部構造を斜視図で示しており、この観音扉用係止装置１０は上部用のもので、図２に該当部分の平面図を示すように最初に閉められる第１の扉１１とこの第１の扉１１に召し合わされて閉じられる第２の扉１２とで構成される観音扉の前記第１の扉１１の召し合わせ部１１ａの室内側の上部に取り付けて用いられる。
【００１７】
上記観音扉用係止装置１０は、縦長直方体形状の外形を有するケーシング１３を備え、このケーシング１３は扉取り付け面を除く他の５面は閉鎖されており、扉取り付け面側の長手方向両側には外方へ向けてフランジ１４，１４が突設され、このフランジ１４，１４に穿設された止ネジ挿通孔１５，１５に止ネジを挿通して第１の扉１１に固着されるようになっている。
【００１８】
前記ケーシング１３には、その端壁１３ａ，１３ｂを上下方向に貫通して２点支持により上下動自在に挿通された係止杆１６と、この係止杆１６の先端１６ａをケーシング１３の端壁１３ａから退没する方向へ付勢するバネ手段としての圧縮バネ１７と、前記係止杆１６と交差してケーシング１３の側壁１３ｃ，１３ｃに回転自在に支持された作動杆１８とが設けられている。
【００１９】
前記係止杆１６は丸棒状のもので、前記先端１６ａとは反対端に抜け止め部１９が形成されているとともに、この抜け止め部１９より上方で係止杆１６の先端１６ａが端壁１３ａからは抜けない長さ範囲の一側に平担部１６ｂが削成されており、この係止杆１６の下部が挿通する端壁１３ｂの孔は前記平担部１６ｂ部分の断面形状と相似形として係止杆１６がケーシング１３に対して回転しないようになされている。なおこの回り止め手段は、キーとキー溝によるものであってもよい。
【００２０】
また係止杆１６の長手方向中間位置にはバネ受け２０が設けられており、このバネ受け２０とケーシング１３の端壁１３ａの内面との間には前記の圧縮バネ１７が介装されていて係止杆１６が引込み方向に付勢されている。なお前記抜け止め部１９およびバネ受け２０は具体的にはＥリングが用いられ、バネ受け２０に関しては圧縮バネ１７の弾発力を調整可能とするためＥリングの取り付け位置を段階的に選択して取り付け得るようになっている。
【００２１】
前記作動杆１８のケーシング１３外に突出した端部には、前記第２の扉１２の閉止時にその扉１２の召し合わせ部１２ａの内面が当接して作動杆１８を回転させるための舌片状の接触片２１が固設されている。
【００２２】
この作動杆１８の前記係止杆１６と交差する部位には係止杆押し上げ用突部２２が該作動杆１８の半径方向に突設されており、前記係止杆１６には前記係止杆押し上げ用突部２２に前記圧縮バネ１７による付勢を受けて係合するピン２３が該係止杆１６の半径方向に突設されている。このピン２３は係止杆１６が上下動しても前記平担部１６ｂによる回り止め機能により位置の変動がなく、常に係止杆押し上げ用突部２２に当接する状態が保たれる。
【００２３】
上記係止杆押し上げ用突部２２とピン２３との関係は、前記圧縮バネ１７による付勢により係止杆１６の先端１６ａがケーシング１３の端壁１３ａの外面と同一近く乃至は没入したとき前記ピン２３が前記係止杆押し上げ用突部２２を押圧して前記接触片２１が前記フランジ１４，１４の取り付け面より突出した位置（図３の鎖線図示位置、および図４（Ａ）示の位置）におかれ、上記接触片２１が第２の扉１２により押圧されたとき前記係止杆押し上げ用突部２２が前記ピン２３を押動して係止杆１６の先端１６ａが圧縮バネ１７による付勢に抗してケーシング１３の端壁１３ａから突出し（図１、図３、図４（Ｂ）示）、建屋側の図示しない係止孔に嵌入して第１の扉１１を係止するようになっている。
【００２４】
なお、図示の実施形態では、第１の扉１１の上端に取り付ける観音扉用係止装置１０について示したが、下端用のものは前記作動杆１８をケーシング１３の反対側に突出させ、そこに接触片２１を固設した勝手違いとされる。
【００２５】
図２において符号２４は第２の扉１２の開閉用ノブを示し、通常のようにキーにより第１の扉１１に対してロックする錠が内蔵されており、施錠後は前記第１の扉１１が観音扉用係止装置１０による建屋側にロックされていることにより第１、第２の扉１１，１２とも不動状態におかれる。
【００２６】
したがって上記観音扉用係止装置１０を観音扉の第１の扉１１の上端部に取り付ける場合には、該係止装置１０の係止杆１６の先端１６ａを上にして第１の扉１１の召し合わせ部１１ａの室内側上端位置にケーシング１３をそのフランジ１４，１４の止ネジ挿通孔１５，１５に止ネジを通してネジ止めし、接触片２１に第２の扉１２の召し合わせ部１２ａの室内側の面が当接し得るようにして取り付ける。
【００２７】
この取り付け時においては、圧縮バネ１７の付勢により係止杆１６は下降した状態（図４（Ａ）示）におかれており、これにより係止杆１６のピン２３が作動杆１８の係止杆押し上げ用突部２２を押し下げているので作動杆１８が図３において時計方向に回動し、接触片２１は図３に鎖線で示すように突出した位置におかれている。
【００２８】
この状態で第１の扉１１を閉め、次いで第２の扉１２を閉めると、この第２の扉１２の召し合わせ部１２ａの室内側の面が前記接触片２１に接触してこの接触片２１が押されるので図１および図３の矢印ａ方向に回動し、これに伴って作動杆１８が図３において反時計方向に回動してその係止杆押し上げ用突部２２が係止杆１６のピン２３を押し上げ、係止杆１６は圧縮バネ１７を撓ませながら上昇する。
【００２９】
これにより係止杆１６の先端１６ａはケーシング１３の端壁１３ａより突出し、建屋側の図示しない係止孔に嵌入して係止状態となる。
【００３０】
こうして第２の扉１２を閉めきり、ノブ２４に内蔵されている錠を施錠することにより第１、第２の扉１１，１２はキーロックされる。そしてこれら扉１１，１２は前述の係止装置１０の係止杆１６による建屋側へのロックにより強風や人為的な外力が第１、第２の扉１１，１２に加わっても閉扉状態が確実に保たれるとともに、係止装置１０の係止杆１６はケーシング１３に２点支持されているので曲がったり破損することがなく、またノブ２４の錠を損傷させることも防がれる。
【００３１】
観音扉を開けるときは、第２の扉１２のロックを解いて開ければこの第２の扉１２による接触片２１の拘束が解かれるので、圧縮バネ１７の弾発力により係止杆１６はケーシング１３内に引き込まれ、その先端が建屋側の係止孔から抜けて第１の扉１１の係止が自動的に解かれるとともに、係止杆１８のピン２３が作動杆１８の係止杆押し上げ用突部２２を押し下げるので作動杆１８が図３において時計方向に回転し、接触片２１が図３に鎖線で示す初期位置へ突出した状態に復する。
【００３２】
図５は第１の扉１１に仮止め手段２５を付設した場合の一実施形態を示している。この仮止め手段２５は、前記係止杆１６の先端１６ａが突出するケーシング１３の端壁１３ａに開口された孔２６に、前後面２７ａ，２７ｂが曲面とされた駒２７がバネ２８により突出習性を与えられて設けられたもので、第１の扉１１を閉じたとき前記駒２７が建屋側の図示しない係止孔に係合して仮止めされ、閉止位置の位置決めがなされるようになっている。
【００３３】
したがってこの実施形態によれば、第１の扉１１を閉じたとき仮止め手段２５の駒２７が建屋側の係止孔に嵌入することにより閉止位置に留めおかれるので、第２の扉１２を閉じる際に観音扉用係止装置１０の係止杆１６と建屋側の係止孔との位置ずれを生じず、確実な係止を達成させることができ、また第１の扉１１を閉めてのち第２の扉１２を閉めるまでの間に第１の扉１１が動いてしまうことがない。
【００３４】
前記実施形態では、係止杆１６の２点支持をケーシング１３の端壁１３ａ，１３ｂを貫通する孔により行うようにしているが、ケーシング１３内に係止杆挿通支持用の軸受を設けるようにしてもよい。
【００３５】
また第１の扉１１の下端部にも観音扉用係止装置を取り付けたい場合は、前記上端用の係止装置１０とは勝手違いの係止装置を前記と上下逆の関係として取り付ければよい。
【００３６】
【発明の効果】
以上説明したように本発明によれば、第１の扉を閉める際に係止装置を破損させてしまうようなことを皆無とすることができ、第２の扉を閉めたとき初めて係止杆が突出して建屋側の係止孔に嵌入係止されるので人手を煩わせることもない。
【００３７】
また第２の扉を開ければ係止杆はバネ手段の付勢によりケーシング内に引き込まれるように退没し、第１の扉の係止が自動的に解かれるので、第１の扉の係止を手で解除させる手数も不要とすることができる。
【００３８】
さらに係止杆はケーシングに２点支持されて上下動するので、係止杆の上下動は常に円滑に保たれ、仮に塵埃類が侵入したとしても作動不良を起こすことがない。
【００３９】
請求項２記載の発明によれば、第１の扉を閉めた際に仮止め手段により所定の位置に位置決めされるので、第２の扉を閉めるまでの間に位置ずれを生じることがなく、第２の扉の閉止による係止装置の係止状態への移行を確実に行わせることができる。
【図面の簡単な説明】
【図１】本発明による観音扉用係止装置の一実施形態の内部構造を示す斜視図。
【図２】観音扉への取り付け状態を示す一部の平面図。
【図３】同、作動状態を示す断面図。
【図４】（Ａ）は観音扉の閉止前、（Ｂ）は同閉止後の状態を示す側面図。
【図５】仮止め手段を付設した場合の図３相当図。
【図６】従来の係止装置を示す斜視図。
【図７】従来の他の係止装置を示す断面図。
【符号の説明】
１０  観音扉用係止装置
１１  第１の扉
１２  第２の扉
１３  ケーシング
１４  フランジ
１６  係止杆
１７  圧縮バネ（バネ手段）
１８  作動杆
１９  抜け止め部
２０  バネ受け
２１  接触片
２２  係止杆押し上げ用突部
２３  ピン
２５  仮止め手段
２７  駒
２８  バネ
【図１】
0003581129.tif 000002
【図２】
0003581129.tif 000003
【図３】
0003581129.tif 000004
【図４】
0003581129.tif 000005
【図５】
0003581129.tif 000006
【図６】
0003581129.tif 000007
【図７】
0003581129.tif 000008